(57)【要約】【課題】箱状容器に詰め込まれた商品を取り出すことなしに箱状容器内における商品載置面の位置変更を可能とする商品陳列用補助具を提供すること。【解決手段】箱状容器（１０）内に設置される商品陳列用補助具（１２）は、矩形状の底面（２４）並びに相対する一の両側面（２８）及び他の両側面（３０）を有する本体（１６）と、本体にその一の両側面と平行な軸線の周りに揺動可能に取り付けられた、本体を支持するための少なくとも一対の支持体（１８，２０）であって本体の他の両側面に対してそれぞれ平行に伸びる一対の腕部（３２）とこれらの両腕部を相互に連結する、前記本体の底面下を伸びる連結部（３４）とからなる少なくとも一対の支持体とを含み、各支持体の腕部は、支持体が本体を支持しない非揺動位置と本体を支持する揺動位置との間で本体のより上方に突出する一部分（４０）を有する。【選択図】図１
2006149599.tif 000002
【特許請求の範囲】
【請求項１】
箱状容器内に設置される商品陳列用補助具であって、
矩形状の底面並びに相対する一の両側面及び他の両側面を有する本体と、
前記本体にその一の両側面と平行な軸線の周りに揺動可能に取り付けられた、前記本体を支持するための少なくとも一対の支持体であって前記本体の他の両側面に対してそれぞれ平行に伸びる一対の腕部とこれらの両腕部を相互に連結する、前記本体の底面下を伸びる連結部とからなる少なくとも一対の支持体とを含み、
各支持体の腕部は、前記支持体が本体を支持しない非揺動位置と前記本体を支持する揺動位置との間で前記本体のより上方に突出する一部分を有する、商品陳列用補助具。
【請求項２】
一対の大きい支持体及び一対の小さい支持体を備える、請求項１に記載の補助具。
【請求項３】
さらに、前記本体に設けられた、前記支持体の前記揺動位置からの更なる揺動を阻止するためのストッパを含む、請求項１又は２に記載の補助具。
【発明の詳細な説明】
【技術分野】
【０００１】
本発明は、商品のための箱状容器内に設置される商品陳列用補助具に関する。
【背景技術】
【０００２】
昨今、スーパーマーケットのような店舗で販売される青果物のような商品について、これをその輸送、集配等に用いられた箱状容器に詰め込んだままの状態で、店舗に陳列することが行われている。
【０００３】
これによれば、店舗において、前記箱状容器をそのまま商品陳列用具として用いることができるため、前記箱状容器から商品を取り出してこれを並べることに比べ、商品の陳列に要する時間と労力とを削減することができる。
【０００４】
しかし、その反面、購買客により前記箱状容器内から商品が取り出され、その数量が減じると、前記商品が見えにくく、また取り出しにくくなるという難点がある。
【０００５】
これを解消するため、前記箱状容器内に、これに商品を詰め込むに先立ち、該商品が載置される矩形状の本体と該本体の両側部に該本体の底面に向けて揺動可能に取り付けられた一対の支持体とを備える商品陳列用補助具（後記特許文献１参照）を配置しておくことが考えられる。
【０００６】
これによれば、前記箱状容器内の商品の数量が減じたとき、前記補助具の両方又は片方の支持体を揺動させて立て、その商品載置面をより高い位置又は異なる位置に定め、これにより前記箱状容器の実質的な底上げ等を図ることができる。しかし、これには、前記支持体を立てる操作、すなわち支持体の揺動操作を行うのに、前記補助具とこれに載置された商品とを前記箱状容器内から一旦取り出さなければならないという不便がある。
【特許文献１】実用新案登録第３１０４４３７号公報
【発明の開示】
【発明が解決しようとする課題】
【０００７】
したがって、本発明の目的は、箱状容器に詰め込まれた商品を取り出すことなしに前記箱状容器内における商品載置面の位置変更を可能とする商品陳列用補助具を提供することにある。
【課題を解決するための手段】
【０００８】
本発明は、箱状容器内に設置される商品陳列用補助具に係り、矩形状の底面並びに相対する一の両側面及び他の両側面を有する本体と、前記本体にその一の両側面と平行な軸線の周りに揺動可能に取り付けられた、前記本体を支持するための少なくとも一対の支持体であって前記本体の他の両側面に対してそれぞれ平行に伸びる一対の腕部とこれらの両腕部を相互に連結する、前記本体の底面下を伸びる連結部とからなる少なくとも一対の支持体とを含み、各支持体の腕部は、前記支持体が前記本体を支持しない非揺動位置と前記本体を支持する揺動位置との間で前記本体のより上方に突出する一部分を有する。
【０００９】
前記支持体については、一対の大きい支持体及び一対の小さい支持体からなるものとすることができる。また、前記本体に、前記支持体の前記揺動位置からの更なる揺動を阻止するためのストッパを設けることができる。
【発明の効果】
【００１０】
本発明によれば、箱状容器内に設置される商品陳列用補助具の矩形状の本体の一の両側面に平行な軸線の周りに揺動可能である各支持体が前記本体の他の両側面に対してそれぞれ平行に伸びる一対の腕部と前記本体の底面下を伸びる両腕部の連結部とからなることから、前記支持体は前記箱状容器の側壁と前記本体との間にその腕部を受け入れる隙間があれば揺動可能である。しかも、各腕部は、前記本体を支持しない非揺動位置と前記本体を支持する揺動位置との間で前記本体より上方に突出する一部分を有することから、該一部分を介して前記腕部に押し下げ力を及ぼし、これにより前記支持体を揺動操作することができる。前記支持体の揺動操作は、前記箱状容器内において前記本体及びこれに載置された商品を持ち上げる間に、したがって箱状容器からこれに詰め込まれた商品を取り出すことなしに行うことができ、これにより商品載置面の位置を容易に変更することができる。
【００１１】
また、大小２つの種類の前記支持体を備えることにより、前記箱状容器内における商品載置面の変更位置をより多く、又商品の種類により適合するように設定することができる。前記支持体の揺動を阻止するストッパを設けることにより、前記支持体の連結部が前記本体の上方側に移動すること及びこれに伴う前記したような支持体の揺動操作の不能を回避することができる。
【発明を実施するための最良の形態】
【００１２】
図１及び図２を参照すると、矩形の横断面形状を有する箱状容器内１０に設置される本発明に係る商品陳列用補助具（以下単に「補助具」という。）が全体に符号１２で示されている。
【００１３】
箱状容器１０は、青果物のような商品１４の集配や運搬のために用いられる。図示の例では、箱状容器１０は商品１４の陳列のために斜めに配置されている。
【００１４】
補助具１２は本体１６と、本体１６を支持するための二対の大小の支持体１８，２０とを備える。補助具１２は、必要に応じて、本体１６からその斜め上方へ伸びる、相対する一対の受け部２２を有するものとすることができる。
【００１５】
補助具の本体１６は板状を呈し、相対する矩形状の底面２４及び頂面２６と、相対する一の両側面２８及び他の両側面３０とを有する。
【００１６】
本体１６は、単なる平板からなるもの、該平板がこれに設けられた複数の開口を有するもの、図示の例のように、底面２４、頂面２６及び各受け部２２を有するもの、又はさらにこれらの底面、頂面及び受け部に複数の開口が設けられたもの、あるいは例えば複数の棒又は管が格子状に組まれかつ接合されてなるもの等からなる。
【００１７】
本体１６は、その平面で見て、箱状容器１０の横断面よりわずかに小さい大きさを有する。このため、本体１６の各側面と箱状容器１０の各側面２８，３０との間に隙間が生じる。特に、本体の他の側面３０とこれに相対する箱状容器１０の側面３１との間の隙間は、後述する支持体の腕部３２を受け入れ可能の大きさ又は幅が存する。なお、本体の頂面２６及び各受け部２２には他の側面３０と平行に伸びる補強リブ３３が設けられている。
【００１８】
二対の支持体１８，２０は他の側面３０の伸長方向に互いに間隔をおいて配置され、また、それぞれ、本体１６に該本体の一の両側面２８と平行な軸線（図示せず）の周りに揺動可能に取り付けられている。
【００１９】
各支持体１８，２０は、一対の腕部３２と、これらの両腕部３２を相互に連結する連結部３４とからなる。腕部３２は本体の他の側面３０に相対し、また連結部３４は本体の底面２４の下方を伸びている。
【００２０】
本体１６は、その底面２４にいずれかの支持体１８，２０の連結部３４が接する位置にあるとき、すなわちいずれかの支持体１８，２０が揺動されていない非揺動位置（図５に示す位置）にあるとき、前記支持体による支持を受けない。反対に、いずれかの支持体１８，２０が前記非揺動位置から揺動された揺動位置（図１〜図４に示す位置）にありかつ該支持体によって本体１６が持ち上げられるとき、本体１６は前記支持体により支持される。
【００２１】
一例を示す図１及び図２では、本体１６が一方の大きい支持体１８によって支持され、傾斜している。また、図３に示す例では、本体１６が一方の小さい支持体２０によって支持され、傾斜しているが、図１及び図２に示す例におけるより、傾斜は小さい。これらの例では、図２及び図３で見て左方の両支持体１８，２０は、図５に示す非揺動位置から揺動されているが本体１６を支持しない。したがって、これらの支持体は前記揺動位置にあるといえない。
【００２２】
また、本体１６を支持するいずれの例においても、本体１６を支持する支持体１８，２０の先端部（後記直線部４２）が箱状容器１０の底部の角、すなわち箱状容器１０の底部の四隅のうちのいずれか２つの隅間における角（かど）に当たり、かつ本体１６の一部が箱状容器１０の前記角部に相対する他の部分（底面の一部分）に接しているため、本体１６を支持する支持体１８，２０の前記揺動位置は変わらずに維持される。したがって、本体１６の支持状態が維持される。
【００２３】
また、図４に示す例では、２つの大きい支持体１８によって本体１６が高位置に、箱状容器１０の底面と平行に支持されている。この例では、両支持体１８の先端部がそれぞれ箱状容器１０の互いに相対する２つの角に当たっており、このため前記揺動位置に変化を生じない。
【００２４】
図５に示す状態にあっては、不支持の本体１６上に商品１４を載置して箱状容器１０内に詰め込むことができ、また図１〜図４に示す状態とすることにより、量的に減少した商品の見映えをよくし、また取りやすくするため、本体１６の頂面２６が規定する商品載置面の位置を種々に変更することができる。なお、前記支持体については、大きさの異なる２種類の支持体とする図示の例に代えて、３種類以上の支持体とし、又は単一種類の支持体とすることができる。
【００２５】
図示の各支持体１８，２０は金属棒を折り曲げてなる。支持体１８，２０は、これが金属材料からなる図示の例に代えて、例えばプラスチック材料ような他の材料で形成することができる。
【００２６】
この例では、各支持体１８，２０は、その腕部３２に連なりかつ本体１６の他の側面２８と平行に伸びる取り付け部３６において、本体１６に取り付けられている。より詳細には、本体１６の底面の四隅近傍にそれぞれ下に凸状のハット形のブラケット３８が取り付けられており、各ブラケット３８内に大小の両支持体１８，２０の２つの取り付け部３６が挿入されている。さらに、詳細には、後述するピン状のストッパ４４が両支持体の取り付け部３６間にこれらと平行に配置され、各取り付け部３６はストッパ４４とブラケット３８とに挟持されている。これにより、各支持体１８，２０を取り付け部３６の軸線（本体の側面２８と平行な軸線）の周りに揺動させることができる。
【００２７】
大小の両支持体１８，２０の各腕部３２は、本体１６の他方の各側面３０において、側面３０に平行な面（図示せず）内にあり、該面内において揺動可能である。このため、各腕部３２の揺動空間である、本体１６の側面３０と箱状容器１０の壁面３１との間の隙間を比較的狭いものとすることができる。
【００２８】
各腕部３２は、図示の例では、屈曲部分４０と、該屈曲部分の両端に連なる直線部分を含む他の部分４２とからなる。屈曲部分４０は、図示の大きい支持体１８におけるように曲線状に曲がるもの、図示の小さい支持体２０におけるように角度をなして折れ曲がるもの等、その形状を任意に設定することができる。また、他の部分４２の形状についても、本体１６を支持するのに適するものであれば、図示の例以外の任意の形状に設定することができる。
【００２９】
大きい支持体１８の屈曲部分４０は、小さい支持体２０の湾曲部分４０をその上方で取り巻いている。また、大きい支持体１８の他の部分４２は、小さい支持体２０の他の部分４２より長い長さ寸法を有する。
【００３０】
支持体１８，２０の連結部３４は、図示の例では、本体の底面２４に沿って直線的に伸びている。連結部３４は、この例に限らず、例えば波形を呈して伸びるものとすることができる。
【００３１】
支持体１８，２０にあっては、その屈曲部分４０が、前記非揺動位置と前記揺動位置との間で本体１６より上方に突出している。すなわち、本体の頂面２６よりその上方の位置にある。このことから、支持体の腕部３２を揺動させるのに、その揺動空間である比較的狭い前記隙間に手を差し入れることなしに、屈曲部分４０に指を当ててこれに押圧力を及ぼすことにより、容易に行うことができる。支持体１８，２０のこの揺動操作は、本体１６をわずかに持ち上げ、支持体の連結部分３４が箱状容器１０の底面から離れた高さ位置で行うことができる。なお、屈曲部分４０に代えて、支持体１８，２０の他の任意の一部を、本体の頂面２６よりその上方に位置する部分とすることができる。
【００３２】
ところで、支持体１８，２０は、その腕部３２の大きさ又は長さ寸法によっては、その連結部３４が本体１６の頂面２６上に至るまで揺動可能となる場合がある。連結部３４が頂面２６上にあるときは、箱状容器１０内への補助具１２の設置の際、連結部３４を本体の底面２４側に戻しておけばよいが、いわゆるうっかり忘れによる煩雑を防止するため、大きい支持体２０の更なる揺動又は過剰な揺動を阻止するストッパ４４を設けることができる。また、さらに、小さい支持体１８のためのストッパ４６をも設けてもよい。いずれにおいても、両支持体はこれらの直線部４２においてそれぞれストッパ４４，４６に当接し、その揺動を停止される。
【図面の簡単な説明】
【００３３】
【図１】箱状容器内に設置された商品陳列用補助具の斜視図である。
【図２】商品陳列用補助具を図１の他の側面から見た側面図である。
【図３】本体を１つの小さい支持体で支持した状態における商品陳列用補助具の側面図である。
【図４】本体を２つの大きい支持体で支持した状態における商品陳列用補助具の側面図である。
【図５】本体が支持体により支持されない状態における商品陳列用補助具の側面図である。
【符号の説明】
【００３４】
１０  箱状容器
１２  商品陳列用補助具
１６  本体
１８，２０  支持体
２４  本体の底面
２８，３０  本体の一方及び他方の側面
３２，３４  支持体の腕部及び連結部
４０  支持体の腕部の一部分（湾曲部分）
４４，４６  ストッパ
【図１】
2006149599.tif 000003
【図２】
2006149599.tif 000004
【図３】
2006149599.tif 000005
【図４】
2006149599.tif 000006
【図５】
2006149599.tif 000007